(57)【要約】【課題】ローマンシェード等の日射遮蔽装置に用いる昇降テープ用プーリ装置であって、ヘッドボックス又はヘッドレールを設置した状態のまま、昇降テープの交換を容易に実施することができるものを提供する。【解決手段】ヘッドボックス（１）に内装されるケース（３）と、回転軸（５）に一体回転するように外嵌されて一方の側からケース（３）に収容されるプーリ（９）と、ケース（３）の他方の側を覆うカバー（１０）と、プーリ（９）に巻かれる昇降テープ（１５）からなる昇降テープ用プーリ装置において、ケース（３）の内周面に複数の凹部（１９）を、カバー（１０）には周面にケース側に突出する複数の凸部（１８）をそれぞれ一体に設け、凸部（１８）を凹部（１９）に軸方向に挿入して周方向に所定角度回動すると脱着自在に結合させる。【選択図】　　　　図３
2004135942.tif 000002
【特許請求の範囲】
【請求項１】
日射遮蔽装置のヘッドボックス（１）又はヘッドレールに内装されるケース（３）と、前記ヘッドボックス又はヘッドレール内において前記ケースを貫通する回転軸（５）に一体回転するように外嵌されて一方の側から前記ケースに収容されるプーリ（９）と、前記ケースの他方の側を覆うカバー（１０）と、先端が前記プーリに係止されて前記プーリに巻かれる昇降テープ（１５）とからなる昇降テープ用プーリ装置において、前記ケースを前記カバーに脱着自在に結合することを特徴としてなる日射遮蔽装置の昇降テープ用プーリ装置。
【請求項２】
ケース（３）には内周面に複数の凹部（１９）を、カバー（１０）には軸方向に突出して前記凹部に挿入可能な複数の凸部（１８）をそれぞれ一体に形成し、前記凸部を前記凹部に挿入して周方向に所定角度回動すると前記凸部と前記凹部は脱着自在に結合することを特徴としてなる請求項１記載の日射遮蔽装置の昇降テープ用プーリ装置。
【請求項３】
前記ケースと前記カバーをねじ嵌合することを特徴としてなる請求項１記載の日射遮蔽装置の昇降テープ用プーリ装置。
【請求項４】
前記ケースと前記カバーの一方に爪を、他方に前記爪が弾性的に脱着する爪掛けをそれぞれ設けることを特徴としてなる請求項１記載の日射遮蔽装置の昇降テープ用プーリ装置。
【請求項５】
回転軸（５）に軸方向に延長する溝（６）を設け、先端が比較的広く開口する横断面Ｃ字形スリーブ状のクリップ（７）の内周面にキー（８）を、割りスリーブ状のプーリ（９）の内周面に突起（１６）をそれぞれ設け、前記キーを前記溝に、前記突起を前記クリップの先端開口（１２）にそれぞれはめ、前記クリップを前記回転軸に、前記プーリを前記クリップにそれぞれ一体回転するが軸方向には摺動可能に外嵌することを特徴としてなる請求項１ないし４のいずれか１つに記載の記載の日射遮蔽装置の昇降テープ用プーリ装置。
【請求項６】
プーリ（９）の周面に複数の突条（１７）を形成することを特徴としてなる請求項１ないし５のいずれか１つに記載の日射遮蔽装置の昇降テープ用プーリ装置。
【請求項７】
昇降コード（１５）の先端を、前記クリップに添着することにより、又は前記クリップと前記回転軸の間又は前記プーリの間に挟持することにより、前記プーリに係止することを特徴としてなる請求項１ないし６のいずれか１つに記載の日射遮蔽装置の昇降テープ用プーリ装置
【発明の詳細な説明】
【０００１】
【発明の属する技術分野】
本発明は、ローマンシェード等の日射遮蔽装置に用いる昇降テープ用プーリ装置に関する。
【０００２】
【従来の技術】
従来のローマンシェード等の昇降テープ用プーリ装置は、ヘッドボックス又はヘッドレールに内装されるケースと、ヘッドボックス又はヘッドレール内においてケースを貫通する回転軸に一体回転するように外嵌されて一方の側からケースに収容されるプーリと、ケースの他方の側を覆うカバーと、先端がプーリに係止されてプーリに巻かれ、ついでヘッドボックス又はヘッドレールの前面又は底面もしくはその双方にまたがる開口に臨むケースの出入口を通して引き出される昇降テープとからなり、カバーはケースにねじ止めされていた。
【０００３】
昇降テープ用プーリ装置は、昇降テープ切断事故のとき、又は定期保全のとき、ケースからカバーを外して昇降テープを交換するが、ヘッドボックス又はヘッドレールの開口が比較的小さいため、ヘッドボックス又はヘッドレールを設置した状態ではカバーの止めねじを外してプーリをケースから露出することは困難である。そこで、ヘッドボックス又はヘッドレールを、内部に全部品を収容したまま、床上に降ろし、ケースとカバーのねじを弛めてプーリを露出し、昇降テープを交換していた。
【０００４】
【発明が解決しようとする課題】
内部に全部品を収容したヘッドボックス又はヘッドレールは、重量があるため、床上に降ろす作業は厄介であり、多くの手間が必要であった。特に電動式ローマンシェードはサイズが大きく、作業者も２名以上必要である上に作業時間も長くなるため、昇降テープ交換コストは非常に高くついていた。
【０００５】
本発明は、上記問題を解決するためになされたものであり、その課題は、ローマンシェード等の日射遮蔽装置に用いる昇降テープ用プーリ装置であって、ヘッドボックス又はヘッドレールを床上に降ろさずに、昇降テープを交換することができるものを提供することにある。
【０００６】
【課題を解決するための手段】
前記課題を解決するため、本発明が採用する手段の第１は、ヘッドボックス又はヘッドレールに内装されるケースと、ヘッドボックス又はヘッドレール内においてケースを貫通する回転軸に一体回転するように外嵌されて一方の側からケースに収容されるプーリと、ケースの他方の側を覆うカバーと、先端がプーリに係止されてプーリに巻かれる昇降テープとからなる昇降テープ用プーリ装置において、ケースをカバーに脱着自在に結合することにある。
【０００７】
ケースの内周面に複数の凹部を、カバーの外周面にプーリケース側に突出する複数の凸部をそれぞれ一体に設け、凸部を凹部に軸方向に挿入して周方向に所定角度回動すると、凸部と凹部が脱着自在に結合するように形成することにより、ケースとカバーを脱着自在に結合することが好ましいが、ケースとカバーをねじ嵌合することにより、又は、ケースとカバーの一方に爪を、他方にその爪が弾性的に脱着する爪掛けをそれぞれ設けることにより、ケースとカバーを脱着自在に結合することも可能である。この手段により、ヘッドボックス又はヘッドレールを設置したまま、ヘッドボックス又はヘッドレールの開口から手を入れ、容易にプーリをケースから露出させることができる。
【０００８】
手段の第２は、回転軸に軸方向に延長する溝を設け、先端が比較的広く開口する横断面Ｃ字形スリーブ状クリップの内周面にキーを、スリーブ状プーリの内周面に突起をそれぞれ形成し、回転軸の溝にキーを、クリップの先端開口に突起をそれぞれはめ、回転軸にクリップを、クリップにプーリをそれぞれ一体回転するが軸方向摺動可能に外嵌することにある。この手段により、プーリも、クリップも簡単に軸方向に移動することができるから、ヘッドボックス又はヘッドレールを設置したまま、ヘッドボックス又はヘッドレールの開口から手を入れ、容易に古い昇降テープを巻き戻して新しい昇降テープと交換することができる。
【０００９】
プーリの周面には複数の突条を形成して昇降テープの巻き始めを固く巻き締めることが望ましい。昇降コードの先端は、クリップに添着することにより、又はクリップと回転軸の間又はプーリの間に挟持することにより、プーリに係止するすることができる。
【００１０】
【発明の実施の態様】
本発明を図面に示す実施例に基づいて説明する。
【００１１】
図１は、本発明実施例の昇降テープ用プーリ装置を備えたローマンシェードの要部を示す部分切欠き斜視図、図２は、昇降テープ用プーリ装置の分解斜視図、図３は昇降テープ用プーリ装置の分解工程図である。
【００１２】
図１に示すように、ローマンシェードのヘッドボックス１は、角筒型の枠体であり、前面下部と底面前部に跨る開口２を有する。
【００１３】
ヘッドボックス１にケース３が内装され、ヘッドボックスの開口２からケース３の一部が露出する。ケース３は、ヘッドボックス１の開口２から露出する部分においてヘッドボックス１の内底面に、前面上部に設けられた角部４においてヘッドボックス１の内前面にそれぞれ当接する。角部４のねじ穴に下から固定ボルト１３がねじ込まれ、固定ボルト１３の先端はヘッドボックス１の内上面を押圧してケース３をヘッドボックス１に弾性的に固定する。
【００１４】
ケース３を貫通するローマンシェードの回転軸５は、外周面に軸方向に延長する溝６を備えた円筒状のパイプであり、ヘッドボックス１の内部を長手方向に通る。回転軸５にクリップ７を外嵌し、クリップ７の内周に設けたキー８を回転軸５の溝６にはめる。クリップ７は回転軸５と一体回転するが軸方向には摺動自在である。クリップ７にプーリ９を一体回転するように外嵌する。
【００１５】
回転軸５に外嵌したプーリ９を一方の側からケース３に収容する。ケース３の他方の側に、回転軸５が貫通するカバー１０を装着する。ケース３は、ヘッドボックス１の開口２から露出する部分に出入口１１を有し、プーリ９に巻かれた昇降テープ１５は、出入口１１から引き出される。カバー１０は、ケース３の他方の側端面を被覆し、外端面にはノブ２０を一体に備える。キー８はクリップ７よりも軸方向幅が長く、ケース３に装着したカバー１０の外側に突出する。
【００１６】
図２に示すように、クリップ７は先端が比較的大きく開口する横断面Ｃ字形のスリーブ状であり、プーリ９は割りスリーブ状である。クリップ７の先端開口１２は、プーリ９の内周面中央の突起１６を挟持し、プーリ９を回転軸５と一体回転させる。昇降テープ１５の巻き始めを固く締めるため、プーリ９は外周に複数の突条１７を備える。クリップ７にプーリ９を外嵌したとき、クリップ７の外周面に先端を添着した昇降テープ１５はプーリ９の周面のスリット１４から引き出す。クリップ７は、回転軸５には半径方向に弾性的に脱着自在であり、プーリ９には軸方向に脱着自在である。
【００１７】
カバー１０は、外周から軸方向ケース側に突出する複数の凸部１８を有し、各凸部１８の先端は外半径方向のフックを形成する。ケース３は、内周面にカバー１０の凸部１８と係合する凹部１９を有する。凸部１８は凹部１９と嵌合し、ついで、一方の周方向（図２には反時計回り）に所定角度回る。
【００１８】
次に、図３の分解工程図に基づいて、昇降テープの交換を説明する。定期保全のとき、又は、昇降テープが切断したとき、ヘッドボックスは設置したままの状態で昇降テープを交換する。
【００１９】
始め、図１に示す状態において、ヘッドボックス１の開口２から手を入れ、カバー１０のノブ２０を、図３（ａ）の矢印方向（時計回り）に所定角度回してカバー１０の凸部１８をケース３の凹部１９から挿脱可能な状態とする。
【００２０】
ついで、図３（ｂ）の矢印方向にカバー１０を移動してケース３の内部のプーリ９とクリップ７を露出させる。
【００２１】
次に、図３（ｃ）の矢印方向に昇降テープ１５を巻いたプーリ９とクリップ７を回転軸５に沿って摺動してケース３から外す。それから、プーリ９に巻いた昇降テープ１５を巻き戻す。
【００２２】
次に、図３（ｄ）の矢印方向にクリップ７と昇降テープ１５を回転軸５に沿って摺動してプーリ９から離間させる。ついで、クリップ７を回転軸５から半径方向に外し、キー８を溝６から抜くと、図２に示す分解状態となる。そこで、クリップ７の古い昇降テープを剥がして新しい昇降テープと交換する。
【００２３】
それから、分解工程を逆行して組立を実施する。
新しい昇降テープ１５を添着したクリップ７のキー８を溝６に入れ、クリップ７を回転軸５に半径方向に外嵌する。ついで、図３（ｄ）の矢印とは反対方向に、クリップ７を摺動してプーリ９にはめ込み、昇降テープ１５をプーリ９のスリット１４に通す。次に、図３（ｃ）の矢印とは反対方向に、クリップ７とプーリ９を摺動してケース３に入れ、昇降テープ１５を出入口１１に通す。それから、図３（ｂ）の矢印とは反対方向にカバー１０を移動してケース３に合わせる。ついで、カバー１０のノブ２０を、図３（ａ）の矢印とは反対方向（反時計回り）に所定の角度回すと、カバー１０の凸部１８がケース１０の凹部１９の奥に入り、ケース３とカバー１０が結合する。このようにして、図１の組立状態に戻り、昇降テープの交換は終了する。
【００２４】
この昇降テープの交換作業は、ヘッドボックスを外して床上に降ろす必要はないから、作業員１名で実施可能であり、作業内容も比較的簡単であるから短時間で終了する。
【００２５】
【発明の効果】
上記の通り、従来の昇降テープ用プーリ装置は、プーリを収容するケースとカバーをねじ止めしていたため、ヘッドボックス又はヘッドレールを床上に降ろさないと、ケース内のプーリを露出して昇降テープを交換することができなかった。これに対し、本発明の昇降テープ用プーリ装置は、カバーは少し回して軸方向に引くだけでケースから外れ、逆に軸方向に合わせて少し回すだけでケースに取り付くようにしたから、ヘッドボックス又はヘッドレールを設置したままで、作業者１名で簡単に昇降テープを交換することが可能となり、昇降テープ交換作業のコストが大幅に低減するという優れた効果を奏する。
【図面の簡単な説明】
【図１】本発明実施例の昇降テープ用プーリ装置を備えたローマンシェードの要部を示す部分切欠き斜視図、
【図２】図１の昇降テープ用プーリ装置の分解斜視図、
【図３】図１の昇降テープ用プーリ装置の分解工程図である。
【符号の説明】
１：ヘッドボックス
２：開口
３：ケース
４：角部
５：回転軸
６：溝
７：クリップ
８：キー
９：プーリ
１０：カバー
１１：出入口
１２：開口
１３：固定ボルト
１４：スリット
１５：昇降テープ
１６：突起
１７：突条
１８：凸部
１９：凹部
２０：ノブ
【図１】
2004135942.tif 000003
【図２】
2004135942.tif 000004
【図３】
2004135942.tif 000005